(57)【要約】【課題】  よりユーザの満足度の高いフォトブックまたはアルバムを作成する技術が求められている。【解決手段】  情報処理装置は、アルバムを作成する条件と複数の画像の短辺に関する情報に基づいて、アルバムに使用される画像を選択する。そして、選択された画像をテンプレートに配置することによりフォトブックまたはアルバムを作成する。【選択図】  図１６
2019067257.tif 000002
【特許請求の範囲】
【請求項１】
アルバムを作成する条件を設定する設定手段と、
複数の画像から選択された対象画像と前記設定された条件から特定される前記対象画像の画素情報に基づいて、前記対象画像をアルバムに使用するか否かを特定する特定手段と、
前記特定手段により前記アルバムに使用すると特定された前記対象画像をテンプレートに配置する配置手段とを有することを特徴とする情報処理装置。
【請求項２】
対象画像の得点を決定する第１決定手段と、
所定値と前記設定された条件から特定された前記対象画像の短辺の画素数に基づいて、前記対象画像に対する係数を決定する第２決定手段と、
前記特定手段は、前記対象画像の得点と前記係数とに基づいて、前記対象画像を前記アルバムに使用するか否かを特定することを特徴とする請求項１に記載の情報処理装置。
【請求項３】
前記対象画像の短辺の画素数が所定値以下である場合、前記第２決定手段は、前記対象画像の係数を決定し、前記対象画像の短辺の画素数が所定値以下でない場合、前記第２決定手段による係数の決定処理は実行されないことを特徴とする請求項２に記載の情報処理装置。
【請求項４】
前記特定手段は、前記対象画像のオブジェクトおよび画質の少なくとも１つと前記画素情報に基づいて、前記対象画像をアルバムに使用するか否かを特定することを特徴とする請求項１乃至３のいずれか１項に記載の情報処理装置。
【請求項５】
前記テンプレートに対象画像が配置された後に前記件が変更された場合、前記特定手段は、前記アルバム作成条件が変更される前に決定された前記対象画像の得点と、変更された後のアルバム作成条件に基づいて、前記対象画像を変更後の条件のアルバムに使用するか否かを特定することを特徴とする請求項１乃至４のいずれか１項に記載の情報処理装置。
【請求項６】
アルバムを作成する条件を設定する設定手段と、
複数の画像から選択された対象画像の解像度と前記設定された条件に基づいて、前記対象画像をアルバムに使用するか否かを特定する特定手段と、
前記特定手段により前記アルバムに使用すると特定された前記対象画像をテンプレートに配置する配置手段とを有することを特徴とする情報処理装置。
【請求項７】
前記特定手段は、前記アルバムを作成する条件と前記対象画像の解像度に基づいて前記対象画像の画素情報を決定し、前記決定された画素情報に基づいて、前記対象画像をアルバムに使用するか否かを特定することを特徴とする請求項１乃至６のいずれか１項に記載の情報処理装置。
【請求項８】
前記アルバムを作成する条件は、アルバムのタイプ、アルバムのサイズ、アルバムに使用される用紙タイプの少なくとも１つであることを特徴とする請求項１乃至７のいずれか１項に記載の情報処理装置。
【請求項９】
アルバムを作成する条件を設定する設定工程と、
複数の画像から選択された対象画像と前記設定された条件から特定される前記対象画像の画素情報に基づいて、前記対象画像をアルバムに使用するか否かを特定する特定工程と、
前記特定工程により前記アルバムに使用すると特定された前記対象画像をテンプレートに配置する配置工程とを有することを特徴とする制御方法。
【請求項１０】
アルバムを作成する条件を設定する設定工程と、
複数の画像から選択された対象画像の解像度と前記設定された条件に基づいて、前記対象画像をアルバムに使用するか否かを特定する特定工程と、
前記特定工程により前記アルバムに使用すると特定された前記対象画像をテンプレートに配置する配置工程とを有することを特徴とする制御方法。
【請求項１１】
コンピュータを、
アルバムを作成する条件を設定する設定手段と、
複数の画像から選択された対象画像と前記設定された条件から特定される前記対象画像の画素情報に基づいて、前記対象画像をアルバムに使用するか否かを特定する特定手段と、
前記特定手段により前記アルバムに使用すると特定された前記対象画像をテンプレートに配置する配置手段として機能させるための前記コンピュータが読み取り可能なプログラム。
【請求項１２】
前記コンピュータを、さらに、
対象画像の得点を決定する第１決定手段と、
所定値と前記設定された条件から特定された前記対象画像の短辺の画素数に基づいて、前記対象画像に対する係数を決定する第２決定手段として機能させ、
前記特定手段は、前記対象画像の得点と前記係数とに基づいて、前記対象画像を前記アルバムに使用するか否かを特定することを特徴とする請求項１１に記載のプログラム。
【請求項１３】
前記対象画像の短辺の画素数が所定値以下である場合、前記第２決定手段は、前記対象画像の係数を決定し、前記対象画像の短辺の画素数が所定値以下でない場合、前記第２決定手段による係数の決定処理は実行されないことを特徴とする請求項１２に記載のプログラム。
【請求項１４】
前記特定手段は、前記対象画像のオブジェクトおよび画質の少なくとも１つと前記画素情報に基づいて、前記対象画像をアルバムに使用するか否かを特定することを特徴とする請求項１１乃至１３のいずれか１項に記載のプログラム。
【請求項１５】
前記テンプレートに対象画像が配置された後に前記件が変更された場合、前記特定手段は、前記アルバム作成条件が変更される前に決定された前記対象画像の得点と、変更された後のアルバム作成条件に基づいて、前記対象画像を変更後の条件のアルバムに使用するか否かを特定することを特徴とする請求項１１乃至１４のいずれか１項に記載のプログラム。
【請求項１６】
コンピュータを、
アルバムを作成する条件を設定する設定手段と、
複数の画像から選択された対象画像の解像度と前記設定された条件に基づいて、前記対象画像をアルバムに使用するか否かを特定する特定手段と、
前記特定手段により前記アルバムに使用すると特定された前記対象画像をテンプレートに配置する配置手段として機能させるための前記コンピュータが読み取り可能なプログラム。
【請求項１７】
前記特定手段は、前記アルバムを作成する条件と前記対象画像の解像度に基づいて前記対象画像の画素情報を決定し、前記決定された画素情報に基づいて、前記対象画像をアルバムに使用するか否かを特定することを特徴とする請求項１１乃至１６のいずれか１項に記載のプログラム。
【請求項１８】
前記アルバムを作成する条件は、アルバムのタイプ、アルバムのサイズ、アルバムに使用される用紙タイプの少なくとも１つであることを特徴とする請求項１１乃至１７のいずれか１項に記載のプログラム。
【発明の詳細な説明】
【技術分野】
【０００１】
本発明は、情報処理装置、画像処理方法、及びプログラムに関し、より具体的には、アルバム作成をする情報処理装置、画像処理方法、及びプログラムに関する。
【背景技術】
【０００２】
自動レイアウトを実行することでフォトブックを作成する技術が特許文献１に開示されている。
【先行技術文献】
【特許文献】
【０００３】
【特許文献１】特開２０１３−３０１６１
【発明の概要】
【発明が解決しようとする課題】
【０００４】
ところで、近年、自動レイアウトを使ってフォトブックまたはアルバムを作成する需要が増加している。そのため、よりユーザの満足度の高いフォトブックまたはアルバムを作成する技術が求められている。
【課題を解決するための手段】
【０００５】
上記課題を解決する為に、本発明は、アルバムを作成する条件を設定する設定手段と、複数の画像から選択された対象画像と前記設定された条件から特定される前記対象画像の画素情報に基づいて、前記対象画像をアルバムに使用するか否かを特定する特定手段と、前記特定手段により前記アルバムに使用すると特定された前記対象画像をテンプレートに配置する配置手段とを有することを特徴とする。
【発明の効果】
【０００６】
本発明によれば、満足度が高いフォトブックまたはアルバムをユーザに提供することができる。
【図面の簡単な説明】
【０００７】
【図１】本発明に係るアプリケーションを実行可能なハードウェアブロック図である。
【図２】本発明に係るアプリケーションのソフトウェアブロック図である。
【図３】本発明に係るアプリケーションが表示する表示画面の図である。
【図４】本発明に係る自動レイアウトの処理フロー図である。
【図５】本発明に係る画像解析情報を説明する図である。
【図６】本発明に係る画像群分割を説明する図である。
【図７】本発明に係るシーン分類を説明する図である。
【図８】本発明に係る画像得点を説明する図である。
【図９】本発明に係る画像選択を説明する図である。
【図１０】本発明に係る画像レイアウトを説明する図である。
【図１１】本発明に係る詳細な画像選択を説明する図である。
【図１２】本発明に係る画像選択の詳細なフローを説明する図である。
【図１３】本発明に係る詳細な画像選択を説明する図である。
【図１４】本発明に係る画像選択の詳細なフローを説明する図である。
【図１５】本発明に係る画像得点付を説明する図である。
【図１６】本発明に係る画像得点付のフローを説明する図である。
【図１７】本発明に係る画像得点付に使用する重みを説明するための図である。
【図１８】本発明に係る画像選択を説明する図である。
【図１９】本発明に係る画像選択のフローを説明する図である。
【発明を実施するための形態】
【０００８】
（実施形態１）
以下、本発明の実施形態について図面を用いて詳細に説明する。
【０００９】
本実施形態では、情報処理装置において、アルバム作成のためのアプリケーション（以下、「アプリ」ともいう）を動作させ、自動レイアウトを生成する方法を例に挙げて説明する。
【００１０】
図１は、本発明に係る情報処理装置のハードウェアの構成を説明するブロック図である。情報処理装置としては、例えば、ＰＣ、スマートフォン等が挙げられ、本実施形態ではＰＣとする。
【００１１】
図１において、情報処理装置１００は、ＣＰＵ１０１と、ＲＯＭ１０２と、ＲＡＭ１０３と、ＨＤＤ１０４と、ディスプレイ１０５と、キーボード１０６と、マウス１０７と、データ通信装置１０８と、を備えている。これらは、データバス１０９により相互に接続されている。
【００１２】
ＣＰＵ（中央演算装置／プロセッサ）１０１は、システム制御部であり、情報処理装置１００全体を制御する。また、ＣＰＵ１０１は、本実施形態で説明する制御方法をプログラムに従って実行する。なお、図中のＣＰＵは１つとしたが、これに限定されず、複数備えていてもよい。
【００１３】
ＲＯＭ１０２は、ＣＰＵ１０１により実行されるプログラムを記憶している。ＲＡＭ１０３は、ＣＰＵ１０１によるプログラムの実行時に、各種情報を一時的に記憶する。ＨＤＤ（ハードディスク）１０４は、画像ファイルや画像解析などの処理結果を保持するデータベースなどを記憶する。本実施形態では、ＨＤＤ１０４は、アルバム作成のためのアプリケーションプログラムを記憶する。
【００１４】
ディスプレイ１０５は、本実施形態のＵＩ（ユーザインターフェイス）や画像のレイアウト結果をユーザに提示する装置である。ディスプレイ１０５は、タッチセンサー機能を備えても良い。キーボード１０６は、入力装置の１つであり、例えば、ディスプレイ１０５に表示されたＵＩ上に所定の情報を入力するために用いられる。本実施形態では、例えば、キーボード１０６を介してアルバムの見開き数を入力する。マウス１０７は、入力装置の１つであり、例えば、ディスプレイ１０５に表示されたＵＩ上のボタンをクリックするために用いられる。
【００１５】
データ通信装置１０８は、プリンタやサーバなどの外部装置と通信するための装置である。例えば、自動レイアウトのデータは、データ通信装置１０８を介してＰＣに接続されたプリンタやサーバに送信される。
【００１６】
データバス１０９は、上述した各部（１０２〜１０８）とＣＰＵ１０１とを接続する。また、後述するフローチャートは、ＣＰＵ１０１が、フローチャートに関わるプログラムをＲＡＭ１０３から読みだして実行することで実現される。
【００１７】
図２は、本発明に係るアルバム作成アプリケーションのソフトウェアブロック図である。本実施形態では、ＨＤＤ１０４に保存されたアルバム作成アプリケーションは、ディスプレイ１０５に表示されているアプリケーションのアイコンがユーザによりマウス１０７を使ってダブルクリックされることにより起動する。
【００１８】
アルバム作成アプリケーションは様々な機能を持つが、本実施形態では、特に自動レイアウト処理部２１９により提供される自動レイアウト機能に関して説明する。図２に示すように、アプリケーションは、アルバム作成条件指定部２０１と、自動レイアウト処理部２１９と、を含む。自動レイアウト機能は、撮影された写真をその内容や属性に基づいて分類し、あるいは選択して写真をレイアウトし、ディスプレイ１０５に表示するアルバム画像を生成する。
【００１９】
アルバム作成条件指定部２０１は、マウス１０７によるＵＩ操作に応じてアルバム作成条件を自動レイアウト処理部２１９に指定する。本実施形態では、アルバム作成条件として、主人公、見開き数、テンプレートの種類、アルバム作成のモード、画像補正をするか否か、アルバムの見開きあたりに配置する写真の枚数を調整する見開き写真枚数、アルバムを作成する商材が指定される。
【００２０】
レイアウト対象の画像・動画を指定する場合、個別の画像データの付随情報や属性情報を使って指定しても良い。例えば、ユーザが撮影日時を指定することで、指定された日時に撮影された画像と動画がレイアウト対象の候補（画像群）として選択されても良い。また、ユーザが、デバイスやディレクトリを指定することで、画像と動画がレイアウト対象の候補（画像群）として選択されても良い。見開きとは、たとえば表示においてはひとつの表示用ウィンドウに相当し、印刷においては、異なるシートに印刷された、互いに隣接する１対のページに相当する。
【００２１】
動画取得部２０２は、アルバム作成条件指定部２０１により指定された条件に一致する動画群（動画データ群）をＨＤＤ１０４から取得する。ここでいう動画群とは、１つのアルバム作成の際に動画から切り出された画像をレイアウトに利用する候補動画群を指す。取得された動画データは、ＯＳに標準搭載されている動画のデコーダを使って圧縮された状態から展開される。この展開された動画データが、解析に使用される。
【００２２】
動画解析部２０３は、動画取得部２０２で取得された動画データを解析する。解析は動画から連続するフレームを切り出し、前後のフレームとの差分量を算出する。前のフレームに対して差分量が多いフレームは、前後のフレームが類似していないので動きが多いフレームと判断される。前のフレームに対して差分量が少ないフレームは、似ているフレームと判断される。動き量に関しては、前述したフレーム間の差分以外にも動画フォーマットで利用している動きベクトルが利用されてもよい。
【００２３】
動画解析部２０３は、判定された動き量から解析対象とするフレームを選定する。動画データは、動き量の多さに基づいて、動いている区間と止まっている区間に分けることができる。動き量が多いと判定された区間は解析対象とするフレーム間隔を短くし、動き量が少ないと判定された区間は解析対象とするフレーム間隔を長くする。例えば、動画解析部２０３は、動き量が多い区間は５フレーム間隔で解析対象となるフレームを選択し、動き量が少ない区間は区間の最初と最後及び中間のフレームを解析対象のフレームとして選択し、解析対象となったフレームに対して解析処理を行う。解析する項目は、例えば、顔や動物などのレイアウトに利用するオブジェクト検出、オブジェクトのサイズ判定、顔に関しては笑顔判定、目瞑り判定、ブレボケ判定、画像全体の明るさである。
【００２４】
各判定項目の結果に応じて、解析対象のフレームに対して得点が算出される。オブジェクト検出においては、顔や動物などのレイアウトに利用するオブジェクトを含むフレームが高得点となる。また、オブジェクトのサイズ判定においては、サイズが大きい検出対象オブジェクトを含むフレームが、高得点となる。笑顔判定で笑顔と判定された顔の数、及び目瞑り判定で目瞑りしていないと判定された顔の数が多いフレームが高得点となる。ブレボケ判定では画像のエッジ量をラプラシアンフィルタにより算出してエッジ量が多いフレームが、高得点となる。画像全体の明るさに関しては画像の平均輝度が所定値以上のフレームが高得点となる。最終的に、動画解析部２０３は、項目ごとの得点の総和となる総合得点を算出する。
【００２５】
他にも、判定した動き量に応じてブレボケを判定する領域が変更されてもよい。例えば、動画撮影時に動いている被写体を追尾した場合、被写体はくっきり写るが背景はぼけるため、画像全体としてはぼけてしまう。そのため、動き量が多い場合、動画解析部２０３は、顔などの被写体領域のみでボケ量を判定する方法も考えられる。動画解析部２０３は、分割された各区間から総合得点が所定値以上のフレームを切り出し対象として選択する。
【００２６】
フレーム取得部２０４は、動画解析部２０３で解析された結果に基づいて、動画からフレームを切り出して画像データとしてＨＤＤ１０４に保存する。その際、フレーム取得部２０４は、切り出された画像データと関連付けて、動画解析部で判定された動き量、カメラワーク、得点を保存する。保存する際に、フレーム取得部２０４は、判定された得点に基づいて、アルバムに利用する画像、アルバム作成後にユーザが差し替え利用するための候補画像というように用途も関連付けて保存してもよい。
【００２７】
画像取得部２０５は、アルバム作成条件指定部２０１により指定された画像群（画像データ群）をＨＤＤ１０４から取得する。ここでいう画像群とは、１つのアルバム作成の際にレイアウトする候補画像群を指す。例えば、アルバム作成条件指定部２０１において、ＸＸ年１月１日〜ＸＸ年１２月３１日が指定された場合は、ＸＸ年１月１日〜ＸＸ年１２月３１日に撮影された画像全てが指定された画像群に該当する。画像取得部２０５は、該当する画像群における各画像の幅及び高さ情報も取得する。
【００２８】
ＨＤＤ１０４に保存されている画像としては、静止画像や、動画から切り出された切り出し画像が挙げられる。静止画像や切り出し画像は、デジタルカメラやスマートデバイス等の撮像デバイスから取得したものである。撮像デバイスは、情報処理装置１００が備えていてもよいし、外部装置が備えるものであってもよい。なお、撮像デバイスが外部装置である場合は、画像はデータ通信装置１０８を介して取得される。また、静止画像や切り出し画像は、データ通信装置１０８を介してネットワークやサーバから取得された画像でもよい。ネットワークやサーバから取得した画像としては、ソーシャルネットワーキングサービス画像（以下、「ＳＮＳ画像」という）が挙げられる。
【００２９】
ＣＰＵ１０１によって実行されるプログラムは、各画像に対して、画像に付随したデータを解析して保存元を判定する。ＳＮＳ画像は、アプリケーションを介してＳＮＳから画像を取得することで、アプリケーション内で取得先を管理してもよい。画像は、上述した画像に限定されるものではなく、他の種類の画像であってもよい。
【００３０】
画像変換部２０６は、画像データの画素数や色情報を変換する。本実施形態では、画像データを画素数が短辺４２０画素とし、色情報がｓＲＧＢの画像データに変換する。
【００３１】
画像解析部２０７は、画像データの解析処理をする。本実施形態では、画像変換部２０６で変換済みの画像データの解析処理をする。具体的には、画像解析部２０７は、画像データから特徴量を取得し、画像データにおけるオブジェクト判定、顔検出、検出した顔の表情認識、検出した顔の個人認識を実行する。さらに、画像解析部２０７は、ＨＤＤ１０４から取得した画像に付随したデータ（例えば、Ｅｘｉｆ情報）から、撮影日時の取得を行う。
【００３２】
画像分類部２０８は、取得した画像群、すなわち、アルバム作成条件指定部２０１により指定された画像群をシーン分割する。シーン分割は、撮影日時情報、枚数情報、検出した顔情報を使って実施される。シーンとは、旅行、日常、結婚式等の撮影シーンのことである。また、シーンとは、例えば、一つの撮影対象について一時期の撮影機会に撮影された画像の集まりであるということもできる。
【００３３】
主人公情報入力部２０９は、アルバム作成条件指定部２０１から指定された主人公のＩＤ（識別情報）を画像得点部２１０に入力する。
【００３４】
画像得点部２１０は、各画像に対して得点付けをする。本実施形態では、レイアウトに適した画像が高得点になるように各画像に対して得点付けをする。レイアウトに適した画像が高得点になるように得点付けする際は、画像の解析情報、画像分類結果、主人公情報、画像情報、アルバム作成条件を用いる。また、他の情報を付加的に或いは代替的に用いてもよい。
【００３５】
見開き入力部２１１は、アルバム作成条件指定部２０１から指定されたアルバムの見開き数を見開き割当部２１２に入力する。
【００３６】
見開き割当部２１２は、画像群を分割して各見開きに割り当てる。ここでいう見開きとは、例えば、ユーザがアルバムを開いた際の２ページで構成されるページである。ここでは見開きで説明するがページでもよい。見開き割当部２１２は、入力された見開き数に応じて画像群を分割して各見開きに画像群の一部を割り当てる。例えば、見開き数が５である場合、取得した画像群を５つに分割して小画像群を生成し、各見開きに１つの画像群を割当てる。
【００３７】
画像選択部２１３は、見開き割当部２１２で各見開きに割り当てられた画像群から画像得点部２１０で付けた得点に基づいて、画像を選択する。
【００３８】
テンプレート設定部２１４は、アルバム作成条件指定部２０１から指定されたテンプレート情報に応じた複数のテンプレートをＨＤＤ１０４から読み込み、画像レイアウト部２１５に入力する。
【００３９】
画像レイアウト部２１５は、画像のレイアウトを決定する。具体的には、テンプレート設定部２１４により入力された複数のテンプレートから画像選択部２１３で選択した画像に適したテンプレートを選択し、各画像のレイアウト（配置位置）を決定する。
【００４０】
レイアウト情報出力部２１８は、画像レイアウト部２１５が決定した画像レイアウトに従って、ディスプレイ１０５に表示するためのレイアウト情報を出力する。レイアウト情報は、例えば、選択したテンプレートに選択した画像をレイアウト（配置）したビットマップデータである。
【００４１】
画像補正部２１７は、覆い焼き補正、赤目補正、コントラスト補正を実行する。画像補正条件入力部２１６は、アルバム作成条件指定部２０１から指定された画像補正のＯＮ／ＯＦＦ条件を画像補正部２１７に入力する。画像補正のオンまたはオフは、補正の種類ごとに指定されてもよいし、全ての種類についてまとめて指定されてもよい。
【００４２】
画像補正部２１７は、画像補正条件がＯＮの場合は、画像に対して補正を実施する。画像補正条件がＯＦＦの場合は、補正を実施しない。画像変換部２０６から画像補正部２１７に入力する画像の画素数は、画像レイアウト部２１５で決定したレイアウト画像のサイズに合わせて変えることができる。本実施形態では、レイアウト画像を生成した後に、各画像に画像補正を行うものとしたが、これに限定されず、見開きにページに画像をレイアウト（配置）する前に、各画像の補正が行われてもよい。
【００４３】
レイアウト情報出力部２１８から出力されるレイアウト情報は、例えば図３に示すような形式でディスプレイ１０５に表示される。
【００４４】
本実施形態に係るアルバム作成アプリケーションが情報処理装置１００にインストールされると、ＯＳ（オペレーティングシステム）のトップ画面（デスクトップ）上にアルバム作成アプリケーションの起動アイコンが表示される。ユーザがディスプレイ１０５に表示されているデスクトップ上の起動アイコンをマウス１０７でダブルクリックすると、ＨＤＤ１０４に保存されているアルバム作成アプリケーションのプログラムがＲＡＭ１０３にロードされる。ＲＡＭ１０３のプログラムがＣＰＵ１０１によって実行されて、アルバム作成アプリケーションが起動される。
【００４５】
図３は、起動したアルバム作成アプリケーションが提供する表示画面３０１であり、ディスプレイ１０５に表示される。ユーザは、表示画面３０１を介して、アルバムの作成条件を設定することができる。ユーザは、表示画面３０１を介して、後述するアルバムの作成条件を設定することができる。表示画面３０１は、画像・動画群の指定部として、パスボックス３０２及びフォルダ選択ボタン３０３を有する。表示画面３０１のパスボックス３０２は、アルバム作成の対象となる画像・動画群のＨＤＤ１０４中の保存場所（パス）を指定する際に使用される。
【００４６】
フォルダ選択ボタン３０３は、アルバム作成の対象とする画像・動画群を含むフォルダを表示されるツリー構成から選択するためのボタンである。ユーザがフォルダ選択ボタン３０３をマウス１０７でクリックして、アルバム作成の対象とする画像・動画群を含むフォルダを表示されるツリー構成から選択すると、選択した画像・動画群を含むフォルダパスがパスボックス３０２に表示される。
【００４７】
主人公指定部３０４は、人物の顔画像がアイコンとして複数表示され、アイコンを選択することにより主人公を指定することができる。なお、主人公指定部３０４には、人物毎に顔画像が表示される。言い換えれば、主人公指定部３０４には、１人に対して１つの顔画像が表示され、それぞれの顔画像は個人ＩＤと関連付けられている。なお主人公指定部３０４は、解析対象の画像に写った人物から中心人物である主人公を特定するために用いられる。顔画像は、たとえば予め画像から検出され、個人ＩＤと関連付けて顔データベースに登録されている。主人公指定部３０４に含まれるアイコンは、たとえば顔データベースに登録された人物の顔画像のうち、ユーザが選択した人物の顔画像や後述の方法で決めた人物の顔画像である。主人公指定部３０４には、異なる人物の顔画像のアイコンが複数並び、マウス１０７によってクリックして選択できる。主人公は図４の手順で自動設定することもできるが、主人公指定部３０４で指定することで、ユーザが手動設定することもできる。主人公指定部３０４に表示されたアイコンのうちユーザにより選択されたアイコンの人物が主人公として指定される。
【００４８】
見開き数ボックス３０５は、アルバムにおける見開き数を指定するボックスである。ユーザは、キーボード１０６を使って見開き数ボックス３０５に直接数字を入力したり、マウス１０７を使ってリストから見開き数ボックス３０５に数字を入力したりすることができる。
【００４９】
テンプレート指定部３０６は、テンプレートのテイスト（ポップ調やシック調等）が分かるイラスト画像がアイコンとして複数表示され、テンプレートの指定を受け付ける。本実施形態では、テンプレートとは、画像を配置するための画像配置枠（スロット）を有する。テンプレート指定部３０６では、複数のテンプレートのアイコンが並び、マウス１０７によってクリックすることにより、テンプレートを選択することができる。
【００５０】
モード指定部３０７は、アルバムを作成する際に考慮するオブジェクトが分かるイラスト画像がアイコンとして複数表示され、オブジェクトを指定することができる。本実施形態では、「人」「動物」「料理」の３つをオブジェクトとして説明するが、これ以外のオブジェクトを選択可能であっても良い。また、同時に複数のオブジェクトを指定することも可能だが、ここでは説明の簡略化のためにオブジェクトが１つ選択されたとする。マウス１０７によってクリックすることにより、考慮するオブジェクトを指定することができる。
【００５１】
チェックボックス３０８は、画像補正のＯＮ／ＯＦＦを指定することができる。マウス１０７でチェックを入れると上述した画像補正がＯＮとなり、チェックを入れないと画像補正がＯＦＦとなる。本実施形態では、全ての画像補正が１つのボタンでＯＮ／ＯＦＦされるものとしたが、これに限定されず、画像補正の種類毎にチェックボックスを備えるようにしてもよい。
【００５２】
見開き写真枚数３０９は、作成するアルバムの各見開きに配置する画像枚数をスライダーバーで設定することができる。スライダーバーを「多」側に設定すると、各見開きに配置する画像枚数を増やす。また、スライダーバーを「少」側に設定すると、各見開きに配置する画像枚数を減らす。
【００５３】
商材指定部３１０は、作成するアルバムの商材を設定する。商材は、アルバムのサイズ、アルバムの用紙種類を設定することができる。個別に表紙種類や綴じ部の種類を設定してもよい。
【００５４】
ＯＫボタン３１１は、表示画面３０１上で選択された条件をアルバム作成条件として決定するボタンである。ユーザがＯＫボタン３１１をマウス１０７でクリックすると（選択すると）、アルバム作成条件が確定し、アルバム作成条件指定部２０１を介して、自動レイアウト処理部２１９にアルバム作成条件が伝えられる。具体的には、パスボックス３０２に入力されているパスは画像取得部２０５に伝えられる。主人公指定部３０４に含まれるアイコンを使って選択されている主人公の個人ＩＤは主人公情報入力部２０９に伝えられる。見開き数ボックス３０５に入力されている見開き数は見開き数入力部２１１に伝えられる。テンプレート指定部３０６に含まれるアイコンを使って選択されているテンプレート情報はテンプレート設定部２１４に伝えられる。画像補正チェックボックスの画像補正のＯＮ／ＯＦＦは画像補正条件入力部２１６に伝えられる。
【００５５】
リセットボタン３１２は、表示画面上の各設定情報をリセットするためのボタンである。
【００５６】
図４は、本実施形態に係るアルバム作成アプリケーションの自動レイアウトを実行する処理フローを説明するフローチャートである。図４に示すフローチャートは、例えば、ＣＰＵ１０１がＨＤＤ１０４に格納されたプログラムをＲＯＭ１０２やＲＡＭ１０３に読み出して実行することにより実現される。図４を使って、自動レイアウトの処理フローを以下説明する。以下に示す通り、本実施形態では、アルバムを作成する際に、アルバムを作成するための画像群を撮影時間に応じて分割し、分割した各サブ画像群（以下、「区間」ともいう）からページに配置する画像を選択する。
【００５７】
ＣＰＵ１０１は、Ｓ４０１において、アルバム作成条件指定部２０１を使ってアルバム作成条件を設定する。アルバム作成条件として、例えば、アルバムの商材のタイプ、アルバム商材サイズ、アルバムに使用される用紙タイプの少なくとも１つが設定される。これらの作成条件は、例えば、後述する図１７のＲ２を決める際に使用される
ＣＰＵ１０１は、Ｓ４０２において、動画取得部２０２で動画データを取得する。アルバムを作成する動画・画像群、主人公、見開き数、テンプレート、モード、画像補正に関して設定された情報を設定する。
【００５８】
ＣＰＵ１０１は、Ｓ４０３において、動画解析部２０３を使って取得した動画データの解析を行う。例えば、Ｓ４０３では、動き量、カメラワーク、ブレボケや表情などの結果を組み合わせたスコアが算出される。更に、算出したスコアに基づいて、解析結果をもとにアルバムに配置されるべきレイアウト候補用の画像と、ユーザが編集作業時に差し替える編集候補用の画像とに分けてもよい。算出スコア値が所定閾値以上のフレームは、レイアウト候補用とする。
【００５９】
ＣＰＵ１０１は、Ｓ４０４において、動画データの解析結果に基づいて、動画データからフレームを切り出して画像データとしてＨＤＤ１０４に保存する。保存されたフレームに対応する解析結果（動き量、カメラワーク、スコア）が関連付けてＨＤＤ１０４に保存される。
【００６０】
ＣＰＵ１０１は、Ｓ４０５において、ＨＤＤ１０４の動画群の全動画に対して、Ｓ４０２からＳ４０４が終了したか否かを判定する。終了していない場合（Ｓ４０５でＮｏ）、Ｓ４０２に戻る。終了している場合（Ｓ４０５でＹｅｓ）はＳ４０６に移行する。
【００６１】
ＣＰＵ１０１は、Ｓ４０６において、指定された画像群に含まれる画像をＨＤＤ１０４から読み込み、ＲＡＭ１０３に展開する。
【００６２】
ＣＰＵ１０１は、Ｓ４０７において、画像変換部２０６で解析画像データを生成する。なお、解析画像データとは、アルバム作成条件指定部２０１で指定され、ＨＤＤ１０４から取得した画像群の各画像データを所望の画素数と色情報に変換した画像データである。なお、ここで変換する画素数及び色情報は、予め決められており、プログラム又はプログラムが用いるパラメータファイルに保存されている。本実施形態では、入力された画像データを短辺４２０画素のサイズとｓＲＧＢの色情報とを持つ解析画像データに変換する。
【００６３】
ＣＰＵ１０１は、Ｓ４０８において、画像解析部２０７を用いて解析画像データの画像特徴量を取得する。例えば、ＣＰＵ１０１は、ＨＤＤ１０４から取得した画像群に含まれる各画像データに付随する情報から撮影日時を取得する。本実施形態では、各画像データに付随するＥｘｉｆ情報から撮影日時を取得する。また、ＣＰＵ１０１は、Ｓ４０７で生成された解析画像データから画質の特徴量を取得する。画質の特徴量としては、例えば、ピントが挙げられる。エッジの検出方法として、公知のソーベルフィルタを用いることができる。ソーベルフィルタで画像のエッジを検出し、エッジの始点と終点の輝度差を、始点と終点の距離で割ることによりエッジの傾きすなわち、輝度勾配を算出する。画像中のエッジの平均傾きを算出して、平均傾きが大きい画像は、平均傾きが小さい画像よりもピントが合っていると判定することができる。本実施形態では、複数の傾き閾値を設定し、いずれの傾き閾値以上かを判別することでピント量が許容できるか判定する。本実施形態では、異なる２つの傾き閾値を設定し、○△×の３段階でピント量を判別する。画像中のエッジの平均傾きが第１の閾値以上であれば、ピントの傾きを○（好適）、第１の閾値よりも低い第２の閾値以上であれば、ピントの傾きを△（許容できる）、第２の閾値未満であればピントの傾きを×（許容できない）とする。
【００６４】
ＣＰＵ１０１は、Ｓ４０９において、画像解析部２０７で各画像データに対してオブジェクト検出と認識を実行する。例えば、ＣＰＵ１０１は、Ｓ４０７で生成された解析画像データから顔を検出する。顔の検出は、公知の方法を用いることができる。公知の方法としては、例えば、複数用意した弱識別器から強識別器を作成するＡｄａｂｏｏｓｔが挙げられる。本実施形態では、Ａｄａｂｏｏｓｔにより作成した強識別器により人物（オブジェクト）の顔を検出する。さらに、ＣＰＵ１０１は、Ｓ４０９において、顔画像を検出（抽出）すると共に、画像における検出した顔画像の位置の左上座標値と右下座標値を取得する。なお、ここでいう「画像」とはＳ４０７で生成された解析画像データにより表される画像である。この２種の座標を特定することにより、人物の顔の位置と顔のサイズを特定することができる。更に、ＣＰＵ１０１は、顔と同様に犬や猫等の動物と、料理をそれぞれ検出するＡｄａＢｏｏｓｔも併せて実行することで、人物、動物、料理のオブジェクトを検出すると同時にオブジェクトが何かを分類することができる。なお、上記に限らず、花、建物、置物等であってもよい。ここでは、ＡｄａＢｏｏｓｔを用いたオブジェクト分類で説明したが、ディープニューラルネットワークによる画像認識を用いてもよい。
【００６５】
ＣＰＵ１０１は、Ｓ４１０において、画像解析部２０７を用いて個人認識を実行する。まず、ＣＰＵ１０１は、Ｓ４０９で抽出した顔画像と、顔辞書データベースに個人ＩＤ毎に保存されている代表顔画像との類似性を比較する。そして、ＣＰＵ１０１は、類似性が閾値以上であり且つ最も類似性が高い個人ＩＤを、抽出した顔画像のＩＤに決定する。すなわち、類似性が閾値以上であり且つ最も類似性が高い個人ＩＤに対応する人物が、Ｓ４０９において抽出された顔画像の人物として特定される。なお、類似性が閾値未満の場合、ＣＰＵ１０１は、抽出した顔画像に新規の人物として新規の個人ＩＤを割り振って、顔辞書データベースに登録する。Ｓ４０８からＳ４１０で取得した各画像データの画像解析情報は、図５に示すように、画像を識別するＩＤ毎に区別してＨＤＤ１０４に記憶される。Ｓ４０８で取得した撮影日時情報及びピント判別結果、Ｓ４０９で検出した顔の数と位置情報が、各画像データの画像解析情報として保存される。
【００６６】
なお、１つの画像データに基づく画像には複数の顔画像が含まれる場合があるが、顔の位置情報は、Ｓ４１０で取得した個人ＩＤ毎に区別して記憶される。画像データにおいて顔が検出されない場合、Ｓ４０８で取得した撮影日時情報及びピント判別結果が保存される。また、画像内に含まれる主要オブジェクトをＡｄａｂｏｏｓｔ実行時の信頼度が高いものから保存する。ここでは、主要オブジェクトが検出されなかった場合は、Ｓ４０８で取得された情報は格納されない。顔以外のオブジェクトに関しても、同様に格納される。ＡｄａＢｏｏｓｔは、パターンを判別する弱判別器を連続で接続することで、１つの強判別器を形成する。そのため、信頼度はＡｄａｂｏｏｓｔで予め学習したパターンと一致する弱判別器が多いほど高くなる。ここでは、ＡｄａＢｏｏｓｔを例にオブジェクト判定を説明したが、ＤｅｅｐＮｅｕｒａｌＮｅｔｗｏｒｋをはじめとするＣｏｎｖｏｌｕｔｉｏｎａｌＮｅｕｒａｌＮｅｔｗｏｒｋを用いた判別器であってもよい。
【００６７】
Ｓ４１１では、アルバム作成条件指定部２０１で指定されたＨＤＤ１０４の画像群の全画像に対してＳ４０７からＳ４１０が終了したか否かを判定する。終了していない場合（Ｓ４１１でＮｏ）、Ｓ４０６に戻る。終了している場合（Ｓ４１１でＹｅｓ）はＳ４１２に移行する。
【００６８】
Ｓ４１２において、ＣＰＵ１０１は、画像分類部２０８でシーン分割をする。シーン分割とは、取得した画像群をシーンに応じて複数のサブ画像群に分割することを指す。具体的には、Ｓ４０８で取得済みの撮影日時情報に基づいて、画像と画像との時間差を頼りに画像群が複数のサブ画像群に分割される。分割の基準の例は以下のとおりである。ＣＰＵ１０１は、アルバム作成条件指定部２０１で指定された画像群のうち、たとえば最も撮影日時が古い（或いは新しい）画像に最初に着目し、その次に古い（新しい）画像との時間差を参照する。ＣＰＵ１０１は、この参照処理を、着目画像を順次撮影日時が新しい（或いは古い）ものに置き換えながら繰り返し実行する。そして、ＣＰＵ１０１は、参照結果が以下のいずれの条件に該当するか判定を行う。なお以下の説明で分割するとは、２つの画像間を境に撮影日時の新しい方と古い方とに画像群を分割するという意味である。画像と画像の撮影日が連続していない場合、すなわち、画像間に撮影していない日が存在する場合、画像群は、撮影していない日を境にサブ画像群に分割される。次に、撮影日が連続する場合について説明する。本実施形態では、画像と画像の撮影時間の差が１６時間以上空いている場合、画像群はサブ画像群に分割される。画像と画像の撮影時間の差が１６時間未満の場合は、連続する各日の最初の撮影から最後の撮影までの時間差が４時間未満なら、同日に撮影された画像群が同一のサブ画像群となるように画像群を分割する。本実施形態では、連続する各日の最初の撮影から最後の撮影までの時間差が４時間以上の場合は、連続する各日の撮影枚数が５０枚未満なら同日に撮影された画像群が同一のサブ画像群となるように画像群を分割する。５０枚以上であれば分割しないものとする。なお、分割の際の時間差の閾値や枚数の閾値は、これに限定されるものではない。図６（Ａ）は、上述したシーン分割方法で分割した結果を示している。
【００６９】
ＣＰＵ１０１は、Ｓ４１３において、画像分類部２０８でシーン分類を実行する。本実施形態では、各サブ画像群（各シーン）を旅行、日常、セレモニーの３つに分類する場合を例に挙げて説明するが、分類はこれに限定されるものではない。本実施形態では、シーンの種類として、「旅行」、「日常」、「セレモニー」があるものとし、サブ画像群をこれらのシーンのいずれかに分類する例を説明する。なお、シーン分類得点化には、シーンの各種類に対応する特徴量の情報が格納されたシーン分類テーブルが利用される。
【００７０】
ここで、プログラムに予め格納される、シーン分類テーブルの作成方法について説明する。まず、「旅行」、「日常」、「セレモニー」のシーンに分類されると予め判定された複数の画像データ群がプログラムの設計者によって集められ、集められた画像データ群について、特徴量が取得される。ここで取得される特徴量の例は、例えば撮影期間、撮影枚数、撮影人数である。撮影期間は、各画像データ群において最初に生成された画像データと最後に生成された画像データとの撮影時間差である。撮影枚数は、各画像データ群の枚数である。撮影人数は、各画像データ群が表す各画像に含まれる顔の平均数である。その結果、例えば、旅行シーンであると予め判定された複数の画像データから成る１画像データ群について、撮影期間、撮影枚数、撮影人数の特徴量が取得される。なお、特徴量は撮影期間、撮影枚数、撮影人数に限定されず、他の特徴量が用いられても良いし、その中のいずれかのみが用いられても良い。
【００７１】
そして、上記のような撮影期間、撮影枚数、撮影人数の特徴量の取得が、予め集められた他の画像データ群についても行われる。次に、シーン毎に集められた複数の画像データ群から取得された特徴量に基づいて、撮影期間の平均値と標準偏差、撮影枚数の平均値と標準偏差、１画像あたりの撮影人数の平均値と標準偏差とが求められる。このようにして求められた値と、シーンの各種類とが対応付けられることで、シーンの種類ごとの各平均値と標準偏差を示すシーン分類テーブル（図７）が作成される。図７は、撮影期間（時間）、撮影枚数（枚）、撮影人数（人）各平均値と標準偏差の一例を示す。これらの求めた値は、アルバム作成アプリケーションのプログラムに予め組み込んでおく。すなわち、予め集めた画像を使って設計段階で学習によってパラメータ作成して、プログラムに組み込んでおく。ＣＰＵ１０１は、Ｓ４１２で分割されたサブ画像群毎に、撮影期間、撮影枚数、及び撮影人数のそれぞれの平均値を算出する。そして、シーン毎に、前記各サブ画像群の撮影期間、撮影枚数、撮影人数の特徴量についてそれぞれの平均値と標準偏差に基づいて、以下の式により得点化する。
【００７２】
シーン及び特徴量毎の得点＝５０−｜１０×（シーン及び特徴量毎の平均値−サブ画像群毎の特徴量）／シーン及び特徴量毎の標準偏差｜  （式１）
シーン毎の平均得点＝（シーン毎の撮影期間の得点＋シーン毎の撮影枚数の得点＋シーン毎の人数の得点）／特徴量項目数  （式２）
ここで、式（１）は、撮影期間、撮影枚数、及び撮影人数のそれぞれについて計算され、式（２）は、式（１）の計算結果から計算される。このとき、式（１）で用いられる平均値および標準偏差は、テーブル７００に登録された値が用いられ、特徴量は、分割画像群ごとの撮影期間、撮影枚数、及び撮影人数のそれぞれの値が用いられる。また、特徴量項目数は本例では３となる。
【００７３】
以上により、着目サブ画像群に対して、旅行、日常、セレモニー毎の平均得点が算出される。そして、画像分類部２０８は、各分割群の画像データを、上記のうち最高得点に対応するシーンに分類する。なお、２以上のシーンが同点の場合、画像分類部２０８は、優先順位に応じてシーンを分類する。例えば、本実施形態では、日常＞セレモニー＞旅行の順に優先することが予め決められており、日常の優先度を最も高くする。なお、優先度の順番はこれに限定されるものではなく、また、ユーザが優先度の順番を設定できるようにしてもよい。
【００７４】
ここでシーン分割、シーン分類について一例をあげて説明する。図６（Ａ）のシーン分割された後のサブ画像群（５）は、サブ画像群５において最初に撮影された画像から最後に撮影された画像までの撮影期間が３６時間、撮影枚数が３００枚、撮影人数が１．７人であった。旅行の平均得点は４５．３２、日常の平均得点は１８．３８、セレモニーの平均得点は−２９．９２となる。従って、サブ画像群５のシーンは旅行に分類される。サブ画像群は、シーン識別ができるようにシーンＩＤを関連付けて管理する。
【００７５】
ＣＰＵ１０１は、Ｓ４１４において、Ｓ４１２で分割された全サブ群に対してＳ４１３のシーン分類が終了したか否かを判定する。終了していない場合（Ｓ４１４でＮｏ）、Ｓ４１３に戻る。終了している場合（Ｓ４１４でＹｅｓ）、Ｓ４１５に移行する。
【００７６】
ＣＰＵ１０１は、Ｓ４１５において、画像得点部２１０を使って主人公を設定する。主人公の設定は、ユーザが指定した画像群に対して実施され、自動と手動の２種類がある。自動で主人公を設定する場合、Ｓ４１０の個人認識の結果と、Ｓ４１２のシーン分割の結果に基づいて主人公が設定される。Ｓ４１０で取得した結果から、サブ画像群に登場する各個人ＩＤの回数、各シーンに登場する各個人ＩＤの回数、各個人ＩＤが登場するシーンの回数等が特定される。これらの情報から自動で主人公が設定される。本実施形態では、画像群の中に複数シーンが含まれる場合、複数のシーンに登場する回数が多い個人ＩＤを主人公ＩＤと設定し、画像群が単一シーンで構成される場合は、単一シーンの登場回数が多い個人ＩＤを主人公ＩＤと設定する。主人公指定部３０４でユーザが特定のアイコンを指定している場合は、主人公情報入力部２０９を介して選択されたアイコンに対応する個人ＩＤが画像得点部２１０に伝えられる。ユーザにより個人ＩＤが指定されている場合、上述した自動設定の主人公ＩＤは無視して、ユーザ指定の個人ＩＤを主人公ＩＤと設定する。このように、主人公指定部３０４の指定に基づく設定を手動設定と呼ぶ。
【００７７】
ＣＰＵ１０１は、Ｓ４１６において、画像得点部２１０で得点化を実行する。得点化により付与される得点は、後述する画像選択時に参照する値であり、画像データ毎に後述する観点で付与される。更に、動画から切り出された画像に対しては動画解析部２０３で解析された結果も加味して得点を付ける。ここで、図８及び図１０を用いて、得点化方法について説明する。
【００７８】
図１０は、３枚の画像をレイアウトする際に用いるテンプレート群を示している。図１０の（１−１）に示すテンプレート１００１は、１つのテンプレートであり、メインスロット１００２と、サブスロット１００３と、サブスロット１００４を有する。メインスロット１００２とは、テンプレート１００１でメインとなるスロット（画像をレイアウトする枠）であり、サブスロット１００３やサブスロット１００４よりもサイズが大きい。すなわち、メインスロットとは、各テンプレートにおいて、最もサイズが大きいスロットである。また、サブスロットとは、各テンプレートにおいて、メインスロット以外のスロットである。メインスロット用の得点とサブスロット用の得点の両方が各画像データに付与される。
【００７９】
次に、図８（Ａ）に画像データの得点化の基準を示す。より具体的には、図８（Ａ）は、旅行、日常、セレモニーのシーン毎に得点が高くなる画像の特徴をまとめた表である。なお、図８（Ａ）に示すように、スロットの種類に応じて、得点が高くなる特徴が異なる。例えば、旅行シーンにおいては、人物と風景が入ったひいた画像はメインスロットとしての得点が高くなり、顔のアップや横顔の画像はサブスロットとしての得点が高くなる。例えば、日常シーンにおいては、顔のアップや横顔の画像はメインスロットとしての得点が高くなり、人物と風景が入ったひいた画像はサブスロットとしての得点が高くなる。例えば、セレモニーシーンにおいては、２人の距離が近い画像はメインスロットとしての得点が高くなり、大人数の画像はサブスロットとしての得点が高くなる。このように、シーン及びスロットの種類に応じて、得点が高くなる特徴、言い換えれば、評価基準が異なる。本実施形態では、シーン及びスロットの種類に応じた得点が高くなる特徴は、アプリケーションにおいて予め設定しておき、プログラムに含まれるものとする。なお、得点が高くなる特徴は、上述したものに限定されるものではない。図８（Ａ）に示す各シーンのメインスロットとサブスロットのそれぞれの特徴に基づいて、画像得点部２１０は、各サブ画像群に含まれる各画像データに得点を付ける。各画像における顔の数、各画像における顔の位置、各画像における顔のサイズが取得され、平均値と標準偏差が各シーンおよび各スロット種類（メインスロットとサブスロット）に対して算出される。ユーザが指定した画像群の各画像データが表す画像がいずれのシーンに属するか（分類されるか）は、Ｓ４１３のシーン分類の結果から特定する。そして、注目画像のシーンに対応する予め求めた前記平均値と標準偏差、注目画像における主人公ＩＤの顔の数、顔の位置、顔サイズの各特徴量に基づいて以下の式を使って得点と平均得点を出す。下式において得点、平均値、標準偏差は、シーン分類、スロット種類及び特徴量ごとに求められる。
【００８０】
得点＝５０−｜１０×（平均値−特徴量）／標準偏差｜
平均得点＝（顔数の得点＋顔位置の得点＋顔サイズの得点）／特徴量項目数
更に、上記算出された得点に対して、アルバム作成条件指定部２０１で指定されたモードに基づいて、得点に加算する。モードで人物と設定された場合には、図５の画像解析情報に格納されたオブジェクト分類でＴＯＰ１からＴＯＰ３の中でカテゴリが人の画像が含まれていれば得点を加算する。オブジェクト分類結果の信頼度が高いほど加算する得点を高くする。他にも、加算する得点はオブジェクト分類結果の順位に応じて変更してもよい。ここでは説明のために、モードで人物が選択された場合を説明したが、動物や料理など他のモードであってもよい。また、選択する個数は１つだけでなく、２つ以上を選択してもよい。その場合は、選択されたオブジェクトが含まれている分だけスコアに加算する。
【００８１】
なお、画像得点部２１０は、上記の得点化を、メインスロット用とサブスロット用の両方に対して実施する。ここで、アルバムに用いる画像はピントが合っている方が適切であるため、図５に示すピントの特徴量が○である画像ＩＤの画像データに対しては所定の得点を加算するようにしてもよい。これにより、ピントが合っている画像の得点を高くすることができる。図８（Ｂ）は、各画像に対して実行された得点化の処理結果の一例を示しており、各画像ＩＤに対して、メインスロットとサブスロットの得点が付けられている。
【００８２】
画像に対して、メイン・サブスロット両得点が設定された後、図５に示す画像の種類が動画の場合は、動画解析部２０３で解析され算出されたスコア値がメイン・サブスロット両得点に加算される。ここでは、動画解析部で算出されたスコア値を利用する方法を記載したが、動き量の多さに応じて加算するスコア値を多くしてもよい。または、カメラワークでズームした後のフレームやパンした後のフレームに所定の得点が加算されてもよい。そうすることで、動画撮影時のユーザの意図を反映させることができる。
【００８３】
動画撮影時のスコアを加算するだけでは、動画から切り出された画像が静止画よりも有利になる場合がある。その場合は、動画解析部２０３で算出された各切り出し画像のスコア値の平均値を算出し、それを全静止画像のスコアに加算する、もしくは切り出し画像のスコアから減算してもよい。
【００８４】
更に、Ｓ４１６について詳細に説明する。具体的には、画像サイズを考慮した画像得点化に関して説明する。図１５は、画像サイズを考慮した画像得点化処理の一例を説明するための図であり、画像得点部２１０により実行される。ここでは説明のために、上述した画像解析情報と画像分類情報と主人公情報に基づいて画像得点が算出され、それに対して、画像サイズを考慮した得点化を行う処理の詳細を説明する。
【００８５】
アルバム作成条件取得部１５０１は、アルバム作成条件指定部２０１で指定されたアルバム作成条件を取得する。上述したＳ４０１において設定された条件が取得される。ここでは説明のために、作成するアルバムの商材サイズが取得される。
【００８６】
画像短辺取得部１５０２は、画像取得部２０５で取得された画像サイズに基づいて、幅と高さ情報から小さい方を短辺情報として取得する。例えば、取得された画像の解像度と上記取得された条件の商材サイズとに基づいて決定された画像の短辺の画素数が、短辺情報として取得される。ここでは説明のために、画像短辺を例に説明するが、面積などの画像サイズを表す尺度であればよい。
【００８７】
重み算出部１５０３は、画像短辺取得部１５０２で取得した画像短辺に基づいて重みを算出する。図１７は、画像短辺から算出する重みを説明するための図である。横軸が画像サイズ（本実施形態では、短辺の画素数）を表しており、画像短辺取得部１５０２で取得した画像短辺のサイズを使用する。縦軸は重みを表しており、画像短辺サイズから対応する重みを取得する。図１７中のＲ１はアルバム作成時に許容する最小画像サイズから設定する。なお、Ｒ１に相当する最小画像サイズは、アルバム作成アプリケーションに予め保持されている。図１７中のＲ２は作成するアルバム条件から設定する。例えば、ユーザが指定したアルバム商材サイズから、プリントする際の解像度に基づいて見開き全面に画像１枚を配置した場合のサイズを算出し、そのサイズをＲ２に設定してもよい。このように、商材サイズに応じてＲ２を設定することにより商材に合わせた画像サイズ評価が可能となる。商材サイズの他にも保持しているテンプレートに含まれる最大スロットのサイズ、テンプレートに配置する最小画像数など、レイアウトする際の画像の大きさに影響するファクターに応じてＲ２が設定されてもよい。
【００８８】
また、図１７中のＷ１は画像短辺サイズがＲ１以下となる画像データに対して使用され、Ｗ２は画像短辺サイズがＲ２以上の画像データに対して使用されることを表している。ここでは説明のために、Ｗ１は０．１、Ｗ２は１．０を設定し、Ｒ１は２４０、Ｒ２は１０８０を設定する。Ｒ１からＲ２までの重みは、Ｗ１とＷ２が線形になるように設定する。主観評価などを行った結果または視覚特性に基づいて、非線形に設定してもよい。ここでは説明のために、商材サイズに基づいた重みの算出方法を説明したが、商材種類によっても重みを変えてもよい。
【００８９】
画像得点取得部１５０４は、上述した画像解析情報と画像分類情報と主人公情報に基づいて画像得点を取得する。
【００９０】
画像得点再算出部１５０５は、重み算出部１５０３で算出した重みと、画像得点取得部１５０４で取得した画像得点から、画像に対する得点を再算出する。
【００９１】
ここでは、画像解像度を判定するために画像サイズと商材サイズを利用した手法を例に説明したが、画像サイズの他に、撮影した端末情報、もしくは撮影時に使用したレンズ情報などの撮影情報を用いてもよい。スマートフォンなどの端末情報、またはカメラ機種の性能に応じてＲ２または図１７の傾きが変更される。例えば、高性能なカメラで撮影された画像群であれば、図１７のＲ１の値を大きくする方法が考えられる。撮影時に利用したレンズ情報なども同様である。また、商材サイズだけでなく、アルバム作成時に使用するテンプレートに基づいて、採用する画像を変更するように重みづけを変更してもよい。例えば、余白の少ないテンプレートデザインでは、より高い解像度の画像が必要となる。そのため、図１７のＲ２の値を大きくする方法が考えられる。
【００９２】
また、アプリケーションに入力される画像が圧縮フォーマットである場合、その圧縮率に応じて採用する画像を変更するように重みづけを変更してもよい。例えば、入力画像がＪＰＥＧファイルの場合、ファイルヘッダー内の量子化テーブルよりおよその圧縮率が推定される。圧縮率毎に量子化テーブルを保持しておき、比較することにより推定する方法などが考えられる。圧縮率が低い場合、高解像度でも画質劣化が少ない。つまり、圧縮率が低い画像が選択されやすくするために、Ｒ２に対応する重みづけを大きくする。一方、圧縮率が高い場合は画像劣化が多い。つまり、圧縮率が高い画像が選択されにくくするために、Ｒ２に対応する重みづけを小さくする。
【００９３】
図１６は画像サイズを考慮した画像得点化処理の処理フローを説明するための図である。
【００９４】
ＣＰＵ１０１は、Ｓ１６０１において、アルバム作成条件取得部１５０１でアルバム作成条件を取得する。作成するアルバムのサイズ、アルバムのタイプ、アルバムに使用される用紙タイプの少なくとも１つが取得される。
【００９５】
ＣＰＵ１０１は、Ｓ１６０２において、画像短辺取得部１５０２で対象画像の短辺に関する情報を取得する。得点化する画像の幅および高さから画像短辺が設定される。なお、短辺に関する情報とは、例えば短辺の画素数が挙げられ、対象画像の解像度とＳ１６０１で取得された商材サイズに基づいて、対象画像の短辺の画素数を算出した結果が、Ｓ１６０２において取得される。なお、別の形態として、対象画像の解像度とアルバムのスロットのサイズに基づいて短辺に関する情報が取得されても良い。この別の形態で実施される場合、図１６の処理を実行することで、対象画像が、メインスロットには配置されないが、メインスロットよりもサイズが小さいサブスロットに配置される可能性が生じる。
【００９６】
ＣＰＵ１０１は、Ｓ１６０３において、画像短辺が所定サイズ以下か否かを判断する。所定サイズより大きい場合、以降の処理を行わず重み（係数）の決定処理を実行することなく図１６の処理が終了する。所定サイズ以下の場合、Ｓ１６０４に処理を進める。例えば、ＣＰＵ１０１は、Ｓ１６０３において、短辺に関する情報として取得された画素数が、所定値以下か否かを判定する。
【００９７】
ＣＰＵ１０１は、Ｓ１６０４において、重み算出部１５０３で画像得点化に使用される重み（係数）を算出する。例えば、Ｓ１６０２で取得された画素数を図１７に当てはめることで重み（係数）が算出されても良い。また、その他の方法として、Ｓ１６０２で取得された画素数をＳ１６０３の判定に使用された所定値で除算することで得られた値が重み（係数）として使用されても良い。
【００９８】
ＣＰＵ１０１は、Ｓ１６０５において、画像得点取得部１５０４で上述した画像解析情報と画像分類情報と主人公情報に基づいて算出された対象画像の得点を取得する。ＣＰＵ１０１は、Ｓ１６０６において、重み算出部１５０３で算出された重みと画像得点取得部１５０４で取得された得点に基づいて、画像得点再算出部１５０５を使って画像得点を再算出する。
【００９９】
以上が、画像サイズに応じて画像得点を算出する処理に関する説明となり、各画像に対する得点化が終了する。例えば、対象画像の短辺の画素数が所定値よりも低い場合、短辺の画素数を所定値で除算することで得られる値は１より小さい値となる。この１より小さい値をＳ１６０５で取得された得点に掛けることでＳ１６０５において取得された得点が、より小さい値として算出される。つまり、所定値よりも短辺の画素数が小さい画像は、選択されにくくなる。その結果、ユーザが所望とするアルバムを作成することが可能となる。なお、図１６では、対象画像の短辺の画素数を使って重み（係数）を決定する処理について説明したが、短辺の画素数ではなく対象画像の全体の画素数を使って重み（係数）が決定されても良い。その他、画像短辺取得部１５０２の説明において上述した面積を使って重み（係数）が決定されても良い。
【０１００】
つまり、図１６により算出された画像の得点を用いて後述する図４のＳ４２３が実行される。その結果、ＣＰＵ１０１は、複数の画像から選択された対象画像とアルバム作成条件から特定される対象画像の画素情報に基づいて、対象画像をアルバムに使用するか否かを特定できる。また、ＣＰＵ１０１は、複数の画像から選択された対象画像の解像度とアルバム作成条件に基づいて、対象画像をアルバムに使用するか否かを特定できる。
【０１０１】
また、図１６において、ＣＰＵ１０１は、Ｓ１６０５において対象画像の得点を取得した後に、重みに基づいて対象画像の得点を再算出している（Ｓ１６０６）。このような順序の処理により生じる効果の一例について説明する。例えば、Ｓ１６０１において取得されたアルバム作成条件として第１サイズが取得され、Ｓ１６０２からＳ１６０６まで実行することで第１サイズのアルバムに対する対象画像の得点が算出される。ここで、ユーザがアルバム作成条件を第１サイズから第１サイズとは異なる第２サイズに変更した場合、Ｓ１６０５で取得される対象画像の得点は変化しないがＳ１６０４で算出される重み（係数）は変化する。つまり、アルバム作成条件が変更された場合、ＣＰＵ１０１は、アルバム作成条件が変更される前に決定された対象画像の得点と、変更された後のアルバム作成条件に基づいて、対象画像を変更後の条件のアルバムに使用するか否かを特定する。そのため、アルバム作成条件が変更されたとしても、対象画像の得点を再度算出する必要がなく、効率的な処理を実行できる。  説明を図４に戻す。ＣＰＵ１０１は、Ｓ４１７において、ユーザ指定の画像群の全画像に対してＳ４１６の画像得点化が終了したか否かを判定する。終了していない場合（Ｓ４１７でＮｏ）、Ｓ４１６に戻る。終了している場合（Ｓ４１７でＹｅｓ）、Ｓ４１８に移行する。
【０１０２】
ＣＰＵ１０１は、Ｓ４１８において、見開き割当部２１２を使って画像分類部２０８のシーン分割により得られたシーン数（サブ画像群の数）が見開き数入力部２１１により入力される見開き数と同じか否かを判定する。同じでない場合（Ｓ４１８でＮｏ）、Ｓ４１９に移行する。同じ場合（Ｓ４１８でＹｅｓ）、Ｓ４２２に移行する。例えば、図６（Ａ）のシーン分割数が８であり、見開き数入力部２１１の入力数が８であればＳ４２２に移行する。
【０１０３】
ＣＰＵ１０１は、Ｓ４１９においてシーン分割により得られたシーン数が見開き数入力部２１１により入力される見開き数より少ないか否かを判定する。シーン数が見開き数より少なくない場合（Ｓ４１９でＮｏ）、Ｓ４２１に移行する。シーン数が見開き数より少ない場合（Ｓ４１９でＹｅｓ）はＳ４２０に移行する。例えば、図６（Ａ）のシーン分割数が８であり、見開き数入力部２１１の入力数が１０であれば、シーン数が見開き数より少なくないため、Ｓ４２０に移行する。
【０１０４】
ＣＰＵ１０１は、Ｓ４２０において、見開き割当部２１２を使ってサブシーン分割をする。サブシーン分割とは、シーン分割数＜見開き数の場合に、分割されたシーンを更に分割することを指す。図６（Ａ）のシーン分割数８に対して指定見開き数が１０である場合を例に挙げて説明する。図６（Ｂ）は、図６（Ａ）をサブシーン分割した結果である。６と７の間にある破線矢印の箇所でサブ画像群をさらに分割したことで、分割数が１０になる。サブシーン分割する基準は、画像枚数および撮影日時である。図６（Ａ）の分割の中で画像枚数が多いサブ画像群が特定される。ここでは、シーン数を８から１０に２つ増やしたいため、画像枚数が多い２つのサブ画像群が特定される。すなわち、再分割すべき数のシーンとして、最も多くの画像を含むシーンが順次指定される。画像数が同数のシーンについては、１つのシーンにおける最初の画像と最後の画像間の撮影日時の差の最大値が大きい方のシーンを選択する。それでも決定できない場合には、たとえば時間的に早いシーンを優先的に再分割するなど、適宜決めておけばよい。図６（Ａ）の例では、多い方からサブ画像群５、次にサブ画像群１とサブ画像群２である。本実施形態では、サブ画像群に含まれる枚数が同じである場合は、サブ画像群に含まれる最初の画像と最後の画像の時間差が大きい方のサブ画像群が分割される。サブ画像群１とサブ画像群２は、含まれる画像の同じ枚数だが、サブ画像群２の方が最初の画像から最後の画像の時間差が大きいため、サブ画像群２が分割対象として選択される。すなわち、図６では、サブ画像群５とサブ画像群２が、それぞれさらに分割される。まず、サブ画像群２の分割方法について説明する。サブ画像群２には、画像枚数の山が２つあり、この２つは撮影日が違う。この場合は、撮影日が変わる箇所（図６（Ｂ）の破線矢印の箇所）で分割する。次に、サブ画像群５の分割を説明する。サブ画像群５には画像枚数の山が３つあり、この３つは撮影日が違う。この場合も、撮影日が変わる箇所で分割する。このとき、撮影日が変わる箇所が２箇所あるが、分割後の各画像群の枚数差が小さくなるように分割する。図６（Ｂ）において、図６（Ａ）のサブ画像群５は、２日目と３日目の境目で分割された方が、１日目と２日目の境目で分割するよりも分割後の各画像群の枚数差が小さくなる。よって、図６（Ａ）のサブ画像群５は、２日目と３日目の境目で分割される。すなわち、図６（Ｂ）の破線矢印の箇所で、図６（Ａ）のサブ画像群５が分割される。以上により分割数を８から１０にする。ここでは撮影日の違う箇所で分割したが、画像枚数が多いサブ画像群が単一日で撮影されたものである場合は、単一日の中で時間差が最大の箇所で分割する。
【０１０５】
ＣＰＵ１０１は、Ｓ４２１において、見開き割当部２１２を使ってシーン統合をする。シーン統合とは、シーン数が見開き数よりも多い場合、分割されたシーン（サブ画像群）を統合する。具体的には、シーン数と見開き数が一致するように、シーン統合をする。図６（Ｃ）は、見開き数が６の場合、図６（Ａ）のサブ画像群３−４とサブ画像群７−８をシーン統合することで、８個のサブ画像群が６個のサブ画像群に変更された結果である。破線の箇所を統合、言い換えれば、破線の箇所での分割をしないことで、シーン数（サブ画像群の数）が６になる。シーン統合では、画像枚数が少ないサブ画像群が特定される。図６の例では、分割数を８から６に２つ減らしたいため、画像の枚数が少ないサブ画像群を特定する。図６（Ａ）において、画像枚数が少ないサブ画像群は、少ない方からサブ画像群８、サブ画像群３、サブ画像群７である。したがって、まず、サブ画像群８が統合対象として選択される。次に、サブ画像群３とサブ画像群７は、画像の枚数は同じである。ただし、サブ画像群７に隣接するサブ画像群８が統合対象として選択されたため、サブ画像群３が統合対象として選択される。
【０１０６】
次に、ＣＰＵ１０１は、統合対象のサブ画像群を、撮影日時が前のサブ画像群に統合するか、撮影日時が後のサブ画像群に統合するかを決定する。まず、図６（Ａ）のサブ画像群３の統合について説明する。
【０１０７】
図６（Ａ）において、サブ画像群３とサブ画像群２との時間差と、サブ画像群３とサブ画像群４との時間差が比較される。今回の例では、サブ画像群３の最後の画像とサブ画像群４の最初の画像との撮影時間の差が、サブ画像群３の最初の画像とサブ画像群２の最後の画像との撮影時間の差よりも小さいとする。この場合、ＣＰＵ１０１は、サブ画像群３をサブ画像群４に統合すると決定する。すなわち、図６（Ａ）のサブ画像群２−３が統合されて、図６（Ｃ）のサブ画像群３が生成される。
【０１０８】
次に、図６（Ａ）のサブ画像群８の統合を説明する。サブ画像群８は、後のサブ画像群がない為、前のサブ画像群７と統合する。すなわち、図６（Ａ）のサブ画像群７−８が統合されて、図６（Ｃ）のサブ画像群６が生成される。なお、本実施形態では、撮影時間の差が小さいサブ画像群同士を統合することにしたが、これに限定されるものではない。例えば、統合対象のサブ画像群を撮影枚数が少ないサブ画像群に統合するようにしてもよい。
【０１０９】
ＣＰＵ１０１は、Ｓ４２２において、見開き割当部２１２を使って見開き割当をする。Ｓ４１８〜Ｓ４２１によって、サブ画像群の数と指定見開き数は同じになっている。本実施形態では、撮影日時が先頭のサブ画像群が見開きの先頭に割り当てられる。すなわち、撮影日時順にサブ画像群をアルバムの各見開きのページに割当てる。これにより、撮影日時順にサブ画像群が並んだアルバムを作成することができる。なお、後述する通り、１つの見開きページ内では、画像は撮影日時に並んでいなくてもよい。
【０１１０】
ＣＰＵ１０１は、Ｓ４２３において、画像選択部２１３を使って各サブ画像群から所定枚数の画像を選択する。図９を用いて、ある見開きに割り当てられたサブ画像群から画像を４枚選択する場合を例に挙げて説明する。なお、本実施形態において見開きとは、２ページを指し、最初の見開き及び最後の見開きは、１ページとする。
【０１１１】
図９（Ａ）は、見開きに割り当てられたサブ画像群に含まれる最初の画像から最後の画像のまでの撮影日時の時間差、言い換えれば、サブ画像群の撮影期間を示す。図９（Ｂ）を使って、４枚選択する際の１枚目を選択する方法を説明する。テンプレートには、１つのメインスロット１００２がある。１枚目は、メインスロット用の画像が選択される。図９（Ｂ）に示すサブ画像群の撮影期間に撮影された全ての画像のうちＳ４１６で付けたメインスロット用の得点が最高点の画像が選択される。
【０１１２】
そして、２枚目以降はサブスロット用の画像が選択される。本実施形態では、サブ画像群の撮影期間を細分化して画像を選択することにより、サブ画像群の撮影期間の一部の画像が集中的に見開きに配置されないようにする。まず、ＣＰＵ１０１は、図９（Ｃ）のようにサブ画像群の撮影期間を２分割して、２つの撮影区間（期間）とする。すなわち、ＣＰＵ１０１は、サブ分割撮影期間を２等分して２つの撮影区間を形成する（グループ分けする）。
【０１１３】
次に、ＣＰＵ１０１は、図９（Ｄ）のように１枚目が選ばれていない撮影区間（実線の区間）からサブスロット用の得点が最高点の画像を２枚目として選択する。次に、ＣＰＵ１０１は、図９（Ｅ）のように、図９（Ｄ）の各撮影区間をそれぞれ２等分する。図９（Ｆ）の実線撮影区間、すなわち、１枚目と２枚目が選ばれていない２つの撮影区間に撮影された画像（２つの撮影区間に対応する画像）のうち、ＣＰＵ１０１は、サブスロット用の得点が最高点の画像を３枚目として選択する。
【０１１４】
次に、画像を選択する撮影区間に画像が存在せず、画像を選択できないケースについて４枚目の選択を例に挙げて説明する。本実施形態では、ＣＰＵ１０１は、画像の枚数に関わらず、時間に応じて撮影期間を分割している。したがって、分割して得られた撮影区間に画像が存在しない場合がある。例えば、図９（Ｇ）のように、ＣＰＵ１０１は、まだ画像が選ばれていない撮影区間（斜線の撮影区間）から４枚目を選択したいが、この斜線撮影区間には画像が存在しないとする。この場合は、図９（Ｈ）のように、ＣＰＵ１０１は、画像を選択済みの各撮影区間をそれぞれ２分割する。次に、図９（Ｉ）のように、ＣＰＵ１０１は、１〜３枚目が選ばれていない実線の撮影区間に撮影された画像のうちサブスロット用の最高点の画像を４枚目として選択する。
【０１１５】
図１１は、図２で示した画像選択部２１３をより詳細に説明する図である。画像選択部２１３は、ある見開きに割り当てられたサブ画像群から画像を選択する。
【０１１６】
枚数設定部１１０１は、処理対象の見開きに割り当てられたサブ画像群から選択する総画像枚数を設定する。いかえれば、見開きのレイアウト画像に配置する画像数を設定する。
【０１１７】
画像群取得部１１０２は、画像取得部２０５が取得した画像群から見開きに割り当てられたサブ画像群を取得する。サブ画像群が取得される際、各画像の撮影日時情報、画像種類、オブジェクト情報、メインスロット用得点、及びサブスロット用得点が取得される。画像種類は、静止画像、動画切り出し画像、ＳＮＳ画像の３つに分類するものとしたが、これに限定されるものではない。上述した３つ以外の画像種類を区別するものとしてもよいし、デジタルカメラで撮影した静止画像と、スマートデバイスで撮影した静止画像などのように静止画像をさらに詳細に区別してもよい。
【０１１８】
ループカウンタ１１０３は、画像を選択する処理を実行した回数を管理する。なお、画像を選択する処理は、図９で説明した方法により実行される。管理された回数は、利用する得点軸の判定、及び処理対象の見開きに割り当てられたサブ画像群の撮影期間をいくつの撮影区間に分割するかを設定する際に利用する。
【０１１９】
得点軸設定部１１０４は、ループカウンタ１１０３でカウントされた処理回数に応じて、利用する得点軸を設定する。「利用する得点軸を設定する」とは、「画像の評価基準を設定する」ことを指し、ここでは、Ｓ４１６で算出したメインスロット用得点軸（メインスロット用評価基準）、サブスロット用得点軸（サブスロット用評価基準）のどちらかが設定される。本実施形態では、ＣＰＵ１０１が、これらを切り替えることにより、スロット毎に評価基準を設定する。ここでは、例えば、ＣＰＵ１０１は、１回目の画像選択においてはメインスロット用得点軸を設定して、メイン画像を選択する処理を実行し、２回目以降においてはサブスロット用得点を設定して、サブ画像を選択する処理を実行する。本実施形態では、利用する得点軸として、メインスロット用得点軸、サブスロット用得点軸を例に挙げて説明したが、別の得点軸が用いられてもよい。例えば、メインスロット用得点軸、サブスロット用得点軸に加えて、さらに、人物関連度得点軸が用いられてもよい。なお、人物関連度は、例えば、人物の登場回数や一緒に写った回数に基づいて得点化される。具体的には、１つのサブ画像群の中で登場回数が最も多い人物が含まれる画像は、より高い点数が算出される。また、最も登場回数が多い人物と一緒に写った回数が多い人物が含まれる画像についても、より高い点数が算出される。また、上記では各得点軸を切り替えると説明したが、メインスロット用得点、サブスロット用得点、人物関連度用得点軸などを組み合わせた統合得点軸を用いてもよい。このとき、統合得点を算出する際の各得点軸の重みを変更してもよい。また、処理する回数によって利用する得点軸をランダムに変更してもよいし、予め用意したテーブルを参照して得点軸を切り替えるようにしてもよい。
【０１２０】
分割部１１０５は、撮影期間を所定の区間数に分割する。まず、ＣＰＵ１０１は、画像群取得部１１０２により取得されたサブ画像群の撮影時間から、処理対象の見開きに割り当てられたサブ画像群の撮影開始時間と撮影終了時間を特定し、撮影期間を算出する。すなわち、ＣＰＵ１０１は、サブ画像群に含まれる画像のうち最も早く撮影された画像の撮影時間および最も遅く撮影された画像の撮影時間を特定し、撮影期間を算出する。次に、ＣＰＵ１０１は、ループカウンタ１１０３でカウントされた処理回数に基づいて、算出された撮影期間を均等に分割して撮影区間とする。撮影区間の分割数は、カウントに基づいた２のべき乗で設定される。本実施形態では、カウントに基づいた２のべき乗で撮影期間を均等に分割する方法を説明したが、これに限定されず、撮影期間をカウント数で均等に分割してもよい。また、分割部１１０５は、分割された各区間の開始時刻および終了撮影時刻が出力される。
【０１２１】
画像種類設定部１１０６は、ループカウンタ１１０３により設定された処理回数に応じて、画像選択で選択される画像の種類を設定する。本実施形態では、ＣＰＵ１０１は、処理回数が１回目はＳＮＳ画像から選択し、２回目は動画切り出し画像から選択し、３回目以降は静止画から選択するように設定する。
【０１２２】
区間情報設定部１１０７は、画像群取得部１１０２で取得したサブ画像群に含まれる画像を、分割部１１０５で分割された区間ごとにグループ分けして、画像の撮影情報、各画像の得点等の各区間の情報を格納する。
【０１２３】
モード設定部１１０８は、アルバム作成条件指定部２０１で指定されたモードを設定する。設定されたモードのオブジェクトが配置されるように以降の処理を行う。
【０１２４】
画像選択部１１０９は、得点軸設定部１１０４で設定された得点軸と、モード設定部で設定されたモードと、区間情報設定部１１０７で設定された画像の得点とに基づいて各区間からモードに対応するオブジェクトを含む得点の高い画像を１枚選択する。図９を用いて説明した通り、画像が１枚もない区間から画像は選択されない。本実施形態では、各区間から画像を１枚選択するものとしたが、ＣＰＵ１０１は、各区間から複数枚ずつ選択してもよい。設定されたモードに対応するオブジェクトが含まれる画像の判定には図５に示す解析時の各画像のオブジェクト分類のＴＯＰ３までに所望のオブジェクトが含まれているかを判定条件とするが、他の条件であってもよい。
【０１２５】
類似判定部１１１０は、区間ごとに、選択された画像に対して、前カウンタで選択された画像との類似度を判定する。ＣＰＵ１０１は、類似度が判定閾値以上であれば、類似していると判定し、類似度が判定閾値未満であれば、類似していないと判定する。前カウンタで選択された画像と着目区間から選択された画像が類似していないと判断された場合は、着目区間から選択された画像が保持される。一方、前カウンタで選択された画像と着目区間から選択された画像が類似していると判断された場合は、着目区間から選択された画像を破棄する。類似度の判定は、パターンマッチングによる判定、ＳＨＩＦＴ法を用いた判定などを用いることができる。類似度の判定に用いる判定閾値は、比較する画像の撮影時間差に応じて変更される。例えば、類似判定結果が０〜１００のレンジで出力される場合に１００に近いほど似ているとし、判定閾値以上であれば類似していると判定し、判定閾値未満であれば類似していないと判定する。連写などにより撮影時間差が短い場合（例えば１５秒以内）は、判定閾値を低く設定する（例えば、６０に設定する）。それ以外は判定閾値を８０に設定する。判定閾値を低くすることにより、類似していると判断されやすくなり、少しの類似であっても類似画像と判断され、選択画像が解除されることになる。本実施形態では、このように撮影時間差に応じて判定基準を変更する。
【０１２６】
統合部１１１１は、類似判定部１１１０で非類似と判定された各区間の画像から、最終的に残す画像を選別する。つまり、ＣＰＵ１０１は、統合部１１１１を使って、複数区間から画像が選択された場合にいずれの区間の画像を残るかを判断する。ＣＰＵ１０１は、残す画像を判断する際、画像選択部１１０９で判定する際に使用された得点を用い、得点の高い画像を選択する。本実施形態では、得点の高い画像を選択するものとしたが、これに限定されるものではない。例えば、画像が選択された区間のうち、隣接する区間から画像が選択されていない区間から選択するようにしてもよい。
【０１２７】
画像管理部１１１２は、統合部１１１１で選択された画像を選択画像として追加し、枚数設定部１１０１で設定された必要枚数を超えていないかを判定する。必要枚数に到達した場合は画像選択処理を終了する。必要枚数に達成していない場合は、ループカウンタ１１０３をカウントアップし、上述した画像選択処理を再度実行する。
【０１２８】
ここでは説明のために、メイン画像とサブ画像で同じオブジェクトを含む画像を選択する例で説明したが、メイン画像とサブ画像で異なるオブジェクトを選択してもよい。例えば、ループカウントが１の時はメイン画像が選択されるため、ループカウントが１の時とそれ以外の時で選択するオブジェクトを切り替えることにより、メイン画像とサブ画像で異なるオブジェクトが選択できる。
【０１２９】
図１２は、図４のＳ４２３における画像選択の処理フローの詳細を説明する図である。処理対象の見開きに割り当てられたサブ画像群から画像を選択する詳細フローを説明する。
【０１３０】
ＣＰＵ１０１は、Ｓ１２０１において、枚数設定部１１０１を使って処理対象の見開きに割り当てられたサブ画像群から選択する総画像枚数を設定する。例えば、現在対象としている見開きが何ページ目かによって総画像枚数が設定されても良い。例えば、１ページ目の見開きであれば４枚が設定され、２ページ目の見開きであれば２枚が設定される。なお、これらの枚数は一例であって、他の枚数が設定されても良い。
【０１３１】
ＣＰＵ１０１は、Ｓ１２０２において、画像群取得部１１０２を使って画像取得部２０５が取得した画像データ群の画像データから、処理対象の見開きに割り当てられたサブ画像群（サブ画像データ群）に対応する画像データを取得する。
【０１３２】
ＣＰＵ１０１は、Ｓ１２０３において、モード設定部１１０８を使ってモードを設定する。なお、モードとは、図３に示される「人」、「動物」などである。つまり、Ｓ１２０３では、図３を使って選択したモードが設定される。
【０１３３】
ＣＰＵ１０１は、Ｓ１２０４において、ループカウンタ１１０３を使って画像を選択する処理を実行した回数をインクリメントする。初期状態では、画像を選択する処理が実行されていないので０が設定される。
【０１３４】
ＣＰＵ１０１は、Ｓ１２０５において、得点軸設定部１１０４を使って利用する得点軸を設定する。本実施形態では、ループカウンタで管理される画像選択処理回数に応じて、利用する得点軸が設定される。
【０１３５】
ＣＰＵ１０１は、Ｓ１２０６において、画像種類設定部１１０６において選択する画像種類を設定する。本実施形態では、ループカウントが１の場合、すなわち、処理回数が１回目の場合、画像種類としてＳＮＳ画像が設定される。また、ループカウントが２の場合、画像種類として動画切り出し画像が設定される。
【０１３６】
ＣＰＵ１０１は、Ｓ１２０７において、分割部１１０５を使って処理対象の見開きに割り当てられたサブ画像群の開始および終了撮影時間からサブ画像群の撮影期間を割り出す。そして、ＣＰＵ１０１は、ループカウンタ１１０３でカウントされた処理回数に基づいてサブ画像群の撮影期間を複数の区間に分割する。なお、１回目のループでは、処理が実行されていないため、分割されない（図９（Ａ）―（Ｂ））。
【０１３７】
ＣＰＵ１０１は、Ｓ１２０８において、着目区間を順次切り替える。なお、ＣＰＵ１０１は、区間情報設定部１１０７を使って、サブ画像群の画像データを、分割された区間ごとにグループ分けして、区間毎に各画像の撮影情報、各画像の得点を取得する。なお、このＳ１２０８において取得される各画像の得点が、図１６を実行することにより算出された得点に相当する。
【０１３８】
ＣＰＵ１０１は、Ｓ１２０９において、分割部１１０５により分割された着目区間から画像を選択済みか否かを判定する。着目区間が選択済みの区間であれば、Ｓ１２１４へ進む。未選択の区間であれば、Ｓ１２１０に進む。なお、１回目のループでは、区間が分割されていないため、着目区間は１つである。
【０１３９】
ＣＰＵ１０１は、Ｓ１２０３において設定されたモードに対応するオブジェクトを含む画像が、選択区間内に含まれるか否かを判定する（Ｓ１２１０）。設定されたモードに対応するオブジェクトを含む画像がない場合、Ｓ１２１４へ進む。設定されたモードに対応するオブジェクトを含む画像がある場合、Ｓ１２１１に進む。
【０１４０】
ＣＰＵ１０１は、Ｓ１２１１において、画像選択部１１０９を使って着目区間から、Ｓ１２０３において設定されたモードに対応するオブジェクトを含む最も得点の高い画像を１枚選択する。
【０１４１】
ＣＰＵ１０１は、Ｓ１２１２において、類似判定部１１１０を使って、着目区間から選択された画像と、前カウンタで選択された画像との類似度を判定する。類似していないと判定された場合は、その区間から選定された画像が保持され、Ｓ１２１４へ進む。類似していると判定された場合は、その区間から選択された画像を解除し（Ｓ１２１３）、Ｓ１２１４へ進む。
【０１４２】
ＣＰＵ１０１は、Ｓ１２１４において、画像選択を行う処理がＳ１２０７で分割した全区間に対して実行されたかを判定し、全区間に対して実行された場合は、Ｓ１２１５へ進む。Ｓ１２０５で分割した全区間に対して実行されていない場合は、Ｓ１２０８へ戻り、画像選択の未選択区間に対して画像選択を実施する。
【０１４３】
ＣＰＵ１０１は、Ｓ１２１５において、統合部１１１１を使って、類似判定部１１１０で非類似と判定された各区間の画像から、最終的に残す画像を選別する。すなわち、Ｓ１２０９〜Ｓ１２１４で２以上の画像が残った場合、残す画像がＳ１２１５において選択される。なお、選択方法は、図１１において説明しているため、省略する。
【０１４４】
ＣＰＵ１０１は、Ｓ１２１６において、画像管理部１１１２を使って、選択された画像を選択画像に対して追加し、総選択枚数を更新する。
【０１４５】
ＣＰＵ１０１は、Ｓ１２１７において、画像管理部１１１２により管理されている総選択枚数が、枚数設定部１１０１で設定された必要枚数と一致しているかを判定する。必要枚数と総選択枚数が一致した場合は、処理対象の見開きにおける画像選択処理を終了する。総選択枚数が必要枚数未満の場合は、Ｓ１２１８に進む。
【０１４６】
Ｓ１２１８では、指定されたモードでサブ画像群に含まれる全画像を判定したか否かを判定する。サブ画像群に含まれる全画像が判定されていない場合、Ｓ１２０４へ戻って画像選択処理を続行する。その際、ループカウンタ１１０３により管理されているカウンタが１アップされ、その結果、連動している分割部１１０５により前回よりも２倍多い区間が設定される。区間がより細かく分割されることにより、区間内での画像に対する得点によるランクが変化するので、ＣＰＵ１０１は、１ループ前の選択処理において選択されなかった画像を選択することが可能となる。Ｓ１２１８で全画像を判定した場合は、Ｓ１２１９に進む。
【０１４７】
ＣＰＵ１０１は、Ｓ１２１９において、全画像を判定しても指定モードの画像がなかった場合に、指定モードとは異なるモードに更新する。更新の方法は予め定めた優先順位であってもよいし、サブ画像群に含まれる画像のオブジェクトに基づいてモードを設定してもよい。そしてモードを更新した後、Ｓ１２０３に戻り、更新したモードを再設定し、Ｓ１２０４以降の処理を実行する。
【０１４８】
図４に戻って、ＣＰＵ１０１は、Ｓ４２４において、テンプレート設定部２１４を使って、ＨＤＤ１０４からレイアウトに利用する複数のテンプレートを設定する。設定されるテンプレートはアルバム作成条件指定部２０１で指定されたデザインに対応するテンプレートが設定される。
【０１４９】
ＣＰＵ１０１は、Ｓ４２５において、画像レイアウト部２１５を使って処理対象の見開きの画像レイアウトを決定する。テンプレート設定部２１４により、設定された複数のテンプレートの中から選択された画像をレイアウトするのに適したテンプレートを決定する。テンプレート決定の方法を図１３を用いて説明する。
【０１５０】
図１３は、テンプレート決定のブロック図である。
【０１５１】
選択画像情報取得部１３０１は、画像選択部２１３で選択された枚数と画像に関する情報を取得する。取得する画像情報は、画像の幅と高さ、撮影日時情報、画像得点部２１０により算出された得点である。
【０１５２】
テンプレート選択部１３０２は、選択画像枚数と一致するスロット数を持つテンプレートをテンプレート設定部２１４で設定された中から選択する。
【０１５３】
選択画像ソート部１３０３は、選択画像を撮影日時順にソートする。
【０１５４】
テンプレート選択部１３０４は、テンプレート選択部１３０２で選択されたテンプレートの内、メイン画像を配置するメインスロットを基準にテンプレートを選択する。なお、詳細については、図１４のＳ１４０４にて後述する。また、本実施形態では、テンプレートの左上に撮影日時のより古い画像、右下に撮影日時のより新しい画像をレイアウトするものとする。
【０１５５】
テンプレート選択部１３０５は、テンプレート選択部１３０４で選択されたテンプレートの内、サブ画像を配置するサブスロットを基準にテンプレートを選択する。なお、詳細については、図１４のＳ１４０５にて後述する。
【０１５６】
図１４は、テンプレート決定の処理フロー図である。
【０１５７】
ＣＰＵ１０１は、Ｓ１４０１において、選択画像情報取得部１３０１を使って選択画像情報を取得する。ここでは、選択画像数は３とする。つまり、図１２により選択された画像の情報が取得される。なお、図１４では、説明のために図１０の３つの画像１００５−１００７の情報が取得される。
【０１５８】
ＣＰＵ１０１は、Ｓ１４０２において、テンプレート選択部１３０２で選択画像数とスロット数が一致するテンプレートを選択する。ここではスロット数が３のテンプレートが選択される。一例として、図１０の（１−１）〜（４−４）を使って説明する。
【０１５９】
ＣＰＵ１０１は、Ｓ１４０３において、選択画像ソート部１３０３で選択画像を撮影時間順に並べる。選択画像を撮影日時の順に並べた結果が図１０（Ａ）の画像１００５−１００７であったとする。ここでは、画像１００５がメインスロット用として選択された画像であり、画像１００６と画像１００７がサブスロット用として選択された画像とする。
【０１６０】
ＣＰＵ１０１は、Ｓ１４０４において、テンプレート選択部１３０４で撮影順に並べた際にメイン画像の配置順と、メインスロットの位置が一致し、メイン画像とメインスロットのアスペクト比が一致するテンプレートが選択する。画像１００５は、撮影日時が一番新しく且つメインスロット用の画像であるため、図１０（３−１）〜（３−４）のテンプレートが候補となる。
【０１６１】
ＣＰＵ１０１は、Ｓ１４０５において、テンプレート選択部１３０５でサブ画像とサブスロットの位置とアスペクト比が一致するテンプレートを選択する。例では、サブスロット用の古い方の画像１００６、すなわち、左上に配置したい画像が縦画像で、新しい方の画像１００７が横画像である。したがって、（３−２）が、選択された画像に最も適したテンプレートとして選択される。このようにＳ４２５では、レイアウトに用いるテンプレートと、テンプレートのいずれのスロットにいずれの画像をレイアウトするかが決定される。
【０１６２】
ＣＰＵ１０１は、Ｓ４２６において、画像補正部２１７を使って画像を補正する。画像補正の条件入力部にＯＮが入力された場合は、画像補正が実施される。本実施形態では、画像補正として、覆い焼き補正、赤目補正、コントラスト補正を実施する。画像補正の条件入力部にＯＦＦが入力された場合は、画像補正が実施されない。すなわち、Ｓ４２５の後に、Ｓ４２６へと処理が進まずに、Ｓ４２７が実行される。補正する画像の画素数は短辺１２００画素で、ｓＲＧＢの色空間に変換した画像に対して画像補正ＯＮ／ＯＦＦを実施する。
【０１６３】
ＣＰＵ１０１は、Ｓ４２７において、レイアウト情報出力部２１８を使ってレイアウト情報を作成する。つまり、ＣＰＵ１０１は、Ｓ４２５で決定された内容に従って、各画像を選択されたテンプレートのスロットにレイアウトする。このとき、テンプレートが有する各スロットのサイズ情報に合わせてレイアウトする画像が変倍される。なお、ここで用いる画像は、Ｓ４０６で取得された画像であり、Ｓ４０７で生成した解析画像とは異なる画像である。そして、テンプレートに画像をレイアウトしたビットマップデータが生成される。
【０１６４】
ＣＰＵ１０１は、Ｓ４２８において、Ｓ４２３〜Ｓ４２７が全ての見開きに対して実行されたか否かを判定する。終了していない場合（Ｓ４２８でＮｏ）はＳ４２３に戻る。終了している場合（Ｓ４２８でＹｅｓ）は、図４に示す自動レイアウト処理を終了する。
【０１６５】
本実施形態では、画像解像度（主に短辺の画素数）に基づいて画像得点化を行い、設定した点数に基づいてアルバムに配置する画像を変更することにより、画像解像度を加味したレイアウト処理を実行することができる。
【０１６６】
（第２の実施形態）
第２の実施形態は、画像選択時に画像解像度を考慮する手法に関して説明する。
【０１６７】
図１８は、解像度を考慮した画像選択を実行するためのソフトウェア構成図である。図１１と同じ番号に関しては、説明を割愛する。
【０１６８】
アルバム作成条件取得部１８０１は、アルバム作成条件指定部２０１で指定されたアルバム作成条件を取得する。ここでは説明のために、作成するアルバムの商材サイズを取得する。画像短辺取得部１８０２は、画像取得部２０５で取得された画像サイズに基づいて、幅と高さ情報から小さい方を短辺として取得する。ここでは説明のために、画像短辺を例に説明するが、面積などの画像サイズを表す尺度であればよい。
【０１６９】
画像選択部１８０３は、画像の選択処理を実行する。なお、この選択処理には、得点軸設定部１１０４で設定された得点軸と、モード設定部で設定されたモードと、区間情報設定部１１０７で設定された画像の得点と、アルバム作成条件取得部１８０１で設定された商材サイズ情報と、画像の短辺情報が使用される。つまり、画像選択部１８０３は、画像短辺取得部で取得された画像短辺に基づいて、各区間から、所定短辺サイズ以上でモードに対応するオブジェクトを含む得点の高い画像を１枚選択する。また、本実施形態でも、画像の短辺情報として、対象画像の解像度と商材サイズ情報から得られる対象画像の短辺の画素数が使用される。
【０１７０】
図１９は、第２実施形態における処理対象の見開きに割り当てられたサブ画像群から画像を選択する処理を説明するフローチャートである。図１２と同じ番号に関しては、説明を割愛する。
【０１７１】
ＣＰＵ１０１は、Ｓ１９０１において、アルバム作成条件取得部１８０１を使って、アルバム作成条件指定部２０１で指定されたアルバム作成条件を取得する。
【０１７２】
ＣＰＵ１０１は、Ｓ１９０２において、画像短辺取得部１８０２を使って、Ｓ１２１１で選択された画像の幅と高さ情報から小さい方を短辺として取得する。
【０１７３】
ＣＰＵ１０１は、Ｓ１９０３において、アルバム作成条件指定部２０１で指定された商材サイズに基づいて、必要画像サイズ（本実施形態では画素数）を所定サイズとして設定する。例えば、上述したように、ユーザが指定したアルバム商材サイズから、プリントする際の解像度に基づいて見開き全面に画像１枚を配置した場合のサイズ（例えば、画素数）がＳ１９０３で設定される。そして、ＣＰＵ１０１は、設定した画像サイズに基づいて、Ｓ１２１１で選択した画像が所定サイズ以上の画像か否かを判断する（Ｓ１９０３）。例えば、対象画像の短辺の画素数が、Ｓ１９０３で設定された画素数以上か否かが判断される。所定サイズ以上の場合は、Ｓ１２１２に処理を進める。一方、Ｓ１２１１で選択された対象画像の短辺情報が所定サイズ未満の場合（対象画像の短辺の画素数が所定値未満である場合）は、対象画像を選択対象から外してＳ１２１４へと処理を進める。なお、所定サイズに関しては、商材サイズごとに予め設定された値を設定してもよい。また、所定サイズに関しては、アルバム印刷時に必要な解像度に応じて商材サイズごとに設定してもよい。また、商材サイズだけでなく、商材種類に応じて設定する画像サイズを変更してもよい。
【０１７４】
ここではＳ１２１１で対象画像が選択された後に短辺情報を使って当該対象画像を選択するか否かを決定する手法を例に説明したが、画像選択時に画像サイズを考慮してもよい。その際、商材サイズや種類により選定する画像サイズの条件を変更してもよい。
【０１７５】
また、画像解像度を判定するために画像サイズと商材サイズを利用した手法を例に説明したが、実施例１と同様に、画像サイズの他に、撮影した端末情報、もしくは撮影時に使用したレンズ情報などの撮影情報を用いてもよい。例えば、一定の機能に満たない端末を使って撮影された画像か否かをＳ１９０３において判定し、一定の機能に満たない端末を使って撮影された画像であると判定された場合、対象画像が選択対象から外されても良い。また、商材サイズだけでなく、アルバム作成時に使用するテンプレートに基づいて、採用する画像の条件を変更してもよい。例えば、テンプレートのスロットサイズと対象画像の解像度から対象画像の短辺の画素数を算出し、その算出された画素数と、スロットサイズから決められた所定サイズを使ってＳ１９０３が実行されても良い。
【０１７６】
また、アプリケーションに入力される画像が圧縮フォーマットである場合、その圧縮率に応じて採用する画像を変更してもよい。例えば、入力画像がＪＰＥＧファイルの場合、ファイルヘッダー内の量子化テーブルよりおよその圧縮率を推定する。例えば、Ｓ１９０３において対象画像の圧縮率が所定値より高いか否かが判定される。この判定において圧縮率が低いと判定された場合、Ｓ１２１２へと処理が進められ、圧縮率が高いと判定された場合、対象画像が選択対象から外されてＳ１２１４へと処理が進められても良い。  本実施形態では、画像解像度に基づいた画像選択を行うことにより、画像解像度を加味したレイアウト処理を実行することができる。
【０１７７】
（他の実施形態）
本発明は上述した実施形態に限定されるものではない。例えば、上述した実施形態では、アルバム作成アプリケーションを例に挙げて説明したが、お勧め画像を自動選択するような画像選択処理を備えるアプリケーションや情報処理装置において上述した実施形態が実施されてもよい。
【０１７８】
また、図１では、ローカル環境を想定した情報処理装置を例に挙げて説明したが、情報処理装置はこれに限定されるものではない。例えば、サーバ上の情報処理装置において、上述した実施形態が実施されても良い。上述した実施形態では、画像が写真であるものとし、撮影日時に基づいてグループ分けをするようにしたが、画像を作成した日時でグループ分けをするようにしてもよい。
【０１７９】
上述した実施形態では、利用者がモードを指定するものとし、指定されたモードに基づいてレイアウトするようにしたが、アルバムを作成する画像群を画像解析して、画像群に含まれるオブジェクトの種類の分布等から自動的にモードが設定されてもよい。
【０１８０】
なお、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【符号の説明】
【０１８１】
１０１  ＣＰＵ
【図１】
2019067257.tif 000003
【図２】
2019067257.tif 000004
【図３】
2019067257.tif 000005
【図４】
2019067257.tif 000006
【図５】
2019067257.tif 000007
【図６】
2019067257.tif 000008
【図７】
2019067257.tif 000009
【図８】
2019067257.tif 000010
【図９】
2019067257.tif 000011
【図１０】
2019067257.tif 000012
【図１１】
2019067257.tif 000013
【図１２】
2019067257.tif 000014
【図１３】
2019067257.tif 000015
【図１４】
2019067257.tif 000016
【図１５】
2019067257.tif 000017
【図１６】
2019067257.tif 000018
【図１７】
2019067257.tif 000019
【図１８】
2019067257.tif 000020
【図１９】
2019067257.tif 000021